(57)【要約】【課題】搬送される連続する媒体に所要の張力を安定して付与することができる画像記録装置を提供する。【解決手段】画像記録装置は、連続する媒体９を所要の搬送速度で搬送する搬送装置と、前記搬送装置により搬送される媒体９に画像を記録する記録装置と、前記記録装置を通過した後の媒体９を引っ張るように搬送して媒体９に張力を付与する張力付与機構60とを備え、張力付与機構60は、媒体９を送るよう回転駆動する送りロール61と、送りロール61に媒体９を押し付けて従動回転する押付けロール62と、送りロール61に与える回転動力を発生する駆動装置63と、駆動装置63の回転動力を、設定されたトルクの制限下で送りロール61に伝えるトルクリミッタ64と、トルクリミッタ64と送りロール61の間を接続するよう配置され、トルクリミッタ64を介して伝えられる回転動力を選択される変速比で変速させて送りロール61に伝える変速機構65とを有している。【選択図】図５
2019051661.tif 000002
【特許請求の範囲】
【請求項１】
連続する媒体を所要の搬送速度で搬送する搬送装置と、
前記搬送装置により搬送される前記媒体に画像を記録する記録装置と、
前記記録装置を通過した後の前記媒体を引っ張るように搬送して当該媒体に張力を付与する張力付与装置と、
を備え、
前記張力付与装置は、
前記媒体を送るよう回転駆動する送りロールと、
前記送りロールに前記媒体を押し付けて従動回転する押付けロールと、
前記送りロールに与える回転動力を発生する駆動装置と、
前記駆動装置の回転動力を、設定されたトルクの制限下で前記送りロールに伝えるトルクリミッタと、
前記トルクリミッタと前記送りロールの間を接続するよう配置され、当該トルクリミッタを介して伝えられる回転動力を選択される変速比で変速させて当該送りロールに伝える変速機構と、
を有している画像記録装置。
【請求項２】
前記変速機構は、前記媒体に付与する張力の大きさを選択して設定する操作を行う操作部と、前記操作部の操作に連動して前記変速比が変更される変更部とを有する請求項１に記載の画像記録装置。
【請求項３】
前記変速機構は、前記トルクリミッタから伝えられる回転動力を伝達する伝達歯車と、前記伝達歯車から伝えられる回転動力を歯数の異なる複数の歯車が多段状に配置された多段歯車と、前記伝達歯車と一体に軸方向に移動して前記多段歯車の各歯車との噛み合いを切り替える遊動歯車とで構成されている請求項１又は２に記載の画像記録装置。
【請求項４】
前記トルクリミッタは非接触式のトルクリミッタである請求項１乃至３のいずれかに記載の画像記録装置。
【請求項５】
前記駆動装置と前記トルクリミッタとの間に、前記駆動装置の回転動力が前記媒体を搬送するときの方向と同じ方向に回転する回転動力であるときは当該回転動力を伝達し、前記駆動装置の回転動力が前記媒体を搬送するときの方向と反対の方向に回転する回転動力であるときは当該回転動力を伝達させないワンウェイクラッチを配置している請求項１乃至４のいずれかに記載の画像記録装置。
【請求項６】
前記搬送装置が前記媒体を搬送する方向と逆の方向に所要の逆送速度で搬送するとき、前記駆動装置は、前記媒体を前記逆の方向に送るよう前記送りロールを回転させるための逆回転動力として前記搬送装置の逆送速度よりも速い速度で前記送りロールを逆回転させる回転動力を発生する請求項５に記載の画像記録装置。
【発明の詳細な説明】
【技術分野】
【０００１】
この発明は、画像記録装置に関するものである。
【背景技術】
【０００２】
従来、連続する媒体（連続用紙等）に画像を記録する装置において、その媒体に張力（テンション）を付与する技術としては、以下に例示する特許文献に記載されたものが知られている。
【０００３】
例えば、下記特許文献１には、連続する用紙に印字が行われるプラテンの上方に位置し用紙を上方に引き上げて走行させるトラクタを有する印字装置における紙送り機構として、用紙をはさみ回転することにより下方に引き下げる力を与える第１および第２のローラをプラテンの下方に備えた紙送り機構が示されている。
【０００４】
また、下記特許文献２には、プラテンで案内される用紙に印刷する印刷機構部と、用紙厚設定レバーの位置変更に連動して印刷機構部とプラテンとの距離を変更する印刷ギャップ変更機構と、用紙にフィードテンションを与えるフィードテンション付与機構と、用紙厚設定レバーの位置に応じてフィードテンション付与機構による用紙へのフィードテンションを調整可能なフィードテンション調整機構とを有する用紙搬送装置が示されている。この特許文献２には、用紙搬送装置が、用紙を搬送するトラクタをプラテンよりも用紙搬送方向下流側に配置していることも示されている。
【０００５】
さらに、下記特許文献３には、画像が記録される連続用紙を搬送する用紙搬送部材と、用紙搬送部材の用紙搬送方向上流側に配置され、搬送される連続用紙を挟持してテンションを付与するテンション付与ローラと、テンション付与ローラを駆動するローラ駆動装置と、テンション付与ローラの摩耗を防止するためにテンション付与ローラを回転させる時期を判別する摩耗防止用回転時期判別手段と、テンション付与ローラを回転させる時期であると判別された場合に、テンション付与ローラを所定角度回転させるローラ回転制御手段を備えた画像形成装置が示されている。
【先行技術文献】
【特許文献】
【０００６】
【特許文献１】特開平０５−３０５７４４号公報
【特許文献２】特開２００１−３２２３２２号公報
【特許文献３】特開２００７−１６９０５３号公報
【発明の概要】
【発明が解決しようとする課題】
【０００７】
この発明は、搬送される連続する媒体に所要の張力を安定して付与することができる画像記録装置を提供するものである。
【課題を解決するための手段】
【０００８】
この発明（Ａ１）の画像記録装置は、
連続する媒体を所要の搬送速度で搬送する搬送装置と、
前記搬送装置により搬送される前記媒体に画像を記録する記録装置と、
前記記録装置を通過した後の前記媒体を引っ張るように搬送して当該媒体に張力を付与する張力付与装置と、
を備え、
前記張力付与装置は、
前記媒体を送るよう回転駆動する送りロールと、
前記送りロールに前記媒体を押し付けて従動回転する押付けロールと、
前記送りロールに与える回転動力を発生する駆動装置と、
前記駆動装置の回転動力を、設定されたトルクの制限下で前記送りロールに伝えるトルクリミッタと、
前記トルクリミッタと前記送りロールの間を接続するよう配置され、当該トルクリミッタを介して伝えられる回転動力を選択される変速比で変速させて当該送りロールに伝える変速機構と、
を有しているものである。
【０００９】
この発明（Ａ２）の画像記録装置は、上記発明Ａ１の画像記録装置において、前記変速機構は、前記媒体に付与する張力の大きさを選択して設定する操作を行う操作部と、前記操作部の操作に連動して前記変速比が変更される変更部とを有するものである。
この発明（Ａ３）の画像記録装置は、上記発明Ａ１又はＡ２の画像記録装置において、前記変速機構は、前記トルクリミッタから伝えられる回転動力を伝達する伝達歯車と、前記伝達歯車から伝えられる回転動力を歯数の異なる複数の歯車が多段状に配置された多段歯車と、前記伝達歯車と一体に軸方向に移動して前記多段歯車の各歯車との噛み合いを切り替える遊動歯車とで構成されているものである。
この発明（Ａ４）の画像記録装置は、上記発明Ａ１からＡ３のいずれかの画像記録装置において、前記トルクリミッタは非接触式のトルクリミッタであるものである。
【００１０】
この発明（Ａ５）の画像記録装置は、上記発明Ａ１からＡ４のいずれかの画像記録装置において、前記駆動装置と前記トルクリミッタとの間に、前記駆動装置の回転動力が前記媒体を搬送するときの方向と同じ方向に回転する回転動力であるときは当該回転動力を伝達し、前記駆動装置の回転動力が前記媒体を搬送するときの方向と反対の方向に回転する回転動力であるときは当該回転動力を伝達させないワンウェイクラッチを配置しているものである。
この発明（Ａ６）の画像記録装置は、上記発明Ａ５の画像記録装置において、前記搬送装置が前記媒体を搬送する方向と逆の方向に所要の逆送速度で搬送するとき、前記駆動装置は、前記媒体を前記逆の方向に送るよう前記送りロールを回転させるための逆回転動力として前記搬送装置の逆送速度よりも速い速度で前記送りロールを逆回転させる回転動力を発生するものである。
【発明の効果】
【００１１】
上記発明Ａ１の画像記録装置によれば、搬送される連続する媒体に所要の張力を安定して付与することができる。
【００１２】
上記発明Ａ２の画像記録装置では、連続する媒体に付与する張力の大きさを容易に設定することができる。
上記発明Ａ３の画像記録装置では、連続する媒体に所要の張力を簡易な構成で付与することができる。
上記発明Ａ４の画像記録装置では、接触式のトルクリミッタを適用した場合に比べて、経時変化による張力の変動の発生を抑制することができる。
【００１３】
上記発明Ａ５の画像記録装置では、連続する媒体には、その媒体を正式な搬送方向に搬送するときに限り所要の張力を付与することができる。
上記発明Ａ６の画像記録装置では、連続する媒体を逆の方向に搬送するときに、その媒体に張力を付与することを確実に回避することができる。
【図面の簡単な説明】
【００１４】
【図１】実施の形態１等に係る画像記録装置の構成を示す概要図である。
【図２】（ａ）は図１の画像記録装置の一部を示す概略平面図であり、（ｂ）は（ａ）のＱ−Ｑ線に沿う概略断面図である。
【図３】図１の画像記録装置における搬送装置の構成を示す概略平面図である。
【図４】（ａ）は搬送装置の状態を示す概略断面図であり、（ｂ）は（ａ）の搬送装置のＱ−Ｑ線に沿う概略断面図である。搬送装置および第１除去装置の構成の一部を示す概略断面図である。
【図５】図１の画像記録装置における張力付与装置の要部を示す斜視図である。
【図６】図５の張力付与装置を示す側面図である。
【図７】連続用紙を搬送方向に搬送するときの（張力の設定がレベル１に設定された）張力付与装置の動作状態を示す一部透視斜視図である。
【図８】張力の設定レベルを変更するときの動作の一部を示す一部透視斜視図であり、（ａ）はレベル１において補助操作レバーを操作したときの動作状態を示し、（ｂ）は（ａ）の状態において変更操作レバーを操作してレベル４に変更するときの動作状態を示している。
【図９】張力の設定がレベル４に設定された張力付与装置の動作状態を示す一部透視斜視図である。
【図１０】画像記録装置において連続用紙を搬送方向に搬送するときの構成部分とその動作状態を示す概念図である。
【図１１】連続用紙を逆送方向に搬送するときの（張力の設定がレベル１に設定された）張力付与装置の動作状態を示す一部透視斜視図である。
【図１２】画像記録装置において連続用紙を逆送方向に搬送するときの構成部分とその動作状態を示す概念図である。
【発明を実施するための形態】
【００１５】
以下、この発明を実施するための形態について図面を参照しながら説明する。
【００１６】
［実施の形態１］
図１は、実施の形態１に係る画像記録装置１の構成を概念的に示している。
この画像記録装置１は、送り孔が設けられた連続する連続帳票等の連続用紙９に対して所望の画像を記録するための装置である。
【００１７】
画像記録装置１は、図１に示されるように、連続用紙９を収容して供給する給紙装置１０、連続用紙９に画像を記録する記録装置３０、画像が形成された連続用紙９を回収する回収装置４０、連続用紙９を記録装置３０に所要の速度で搬送する搬送装置５０、記録装置３０を通過した後で回収装置４０に回収される前の連続用紙９を引っ張るように搬送して連続用紙９に張力を付与する張力付与装置６０等を備えている。
【００１８】
はじめに、この画像記録装置１に使用される連続用紙９は、図２（ａ）等に示されるように、その搬送される方向（搬送方向）Ａと直交する幅方向の両端部に、その搬送方向Ａに沿って一定の間隔で１列に並ぶ複数の送り孔（スプロケット孔）９１が設けられている。また、連続用紙９は、その搬送方向Ａと直交する幅方向に延びるミシン目等の折り曲げ線９２が搬送方向Ａに一定の間隔をあけて設けられている。さらに、この連続用紙９は、その幅方向の上記送り孔９１が設けられた両端部を除く内側の部分に、画像を記録すべき領域が形成されている。
【００１９】
次に、上記給紙装置１０は、連続用紙９を折り曲げ線９２で折り返すように交互に折り畳んだ状態にして収容する収容体１１と、収容体１１に折り畳んだ状態で収容されている連続用紙９を繰り出す繰出し装置１２とを備えている。
【００２０】
収容体１１は、記録装置３０や搬送装置５０の下方側に配置され、上方部が開口する箱状の構造物である。繰出し装置１２は、収容体１１の上方側に配置されている。また、繰出し装置１２は、第１送りロール１３、張力付与ロール１４、半円筒面状の摺動面を有する折り返し案内部材１５、第２送りロール１６等で構成されている。
この給紙装置１０における繰出し装置１２は、自ら能動的に作動するものでなく、上記搬送装置５０により連続用紙９が搬送されることにより受動的に作動する。
【００２１】
次に、上記記録装置３０は、インクの液滴を噴射させて画像の記録を行う所謂インクジェット方式の記録装置である。
【００２２】
この記録装置３０は、連続用紙９の幅方向に沿って互い違いに配置される複数（本例では５つ）の分割印字ヘッド３１Ａ〜３１Ｅと、その複数の分割印字ヘッド３１Ａ〜３１Ｅを支持する支持部材３２と、連続用紙９を分割印字ヘッド３１Ａ〜３１Ｅに対して所要の隙間をあけて接近させた状態で通過させるよう案内する案内部材３３とを備えている。
【００２３】
複数の分割印字ヘッド３１Ａ〜３１Ｅは、連続用紙９の幅方向における幅寸法Ｗに応じて必要な数に分割して構成されたものであり、支持部材３２に支持されるよう取り付けられている。
この分割印字ヘッド３１Ａ〜３１Ｅについては、図２（ａ）に実線で例示される幅寸法Ｗ１からなる連続用紙９に対しては４つの分割印字ヘッド３１Ａ〜３１Ｄが使用され、また図２（ａ）に二点鎖線で例示する幅寸法Ｗ２（＞Ｗ１）からなる連続用紙９Ｂに対しては５つの分割印字ヘッド３１Ａ〜３１Ｅが使用されるよう構成されている。
また、各分割印字ヘッド３１Ａ〜３１Ｅはいずれも、連続用紙９の幅方向に沿って列状に配置された図示しない複数のインク吐出孔とその各インク吐出孔にインクを供給して噴射させる図示しない噴射駆動部とを有しており、また、図示しないインク貯留タンクとそれぞれ接続されている。
【００２４】
この記録装置３０においては、分割印字ヘッド３１Ａ〜３１Ｅが図示しない記録駆動制御部により制御されて作動することにより、搬送装置５０から供給される連続用紙９の画像記録領域に対して、画像記録装置１に入力される画像情報に基づいてインクの液滴をドット状に噴射させる。これにより、連続用紙９には、その画像記録領域にインクの液滴からなる画像（インク像）が記録される。
【００２５】
次に、上記回収装置４０は、画像が記録された後の連続用紙９を折り曲げ線９２で折り返すように交互に折り畳んだ状態にして収容する収容体４１と、記録装置３０から排出される連続用紙９の画像を自然乾燥させて定着させるため連続用紙９を比較的長い搬送距離になるよう搬送する乾燥搬送部４２とを備えている。
【００２６】
収容体４１は、例えば、上方部が開口する箱状の構造物である。収容体４１の上方には、回収される連続用紙９をその折り曲げ線９２をきっかけにして折り畳んだ状態にするように折ることを誘発させる折り誘発部材４１２を配置している。乾燥搬送部４２は、連続用紙９の搬送方向Ａに対して比較的長い間隔をあけて配置される複数の引き回し従動ロール４２１〜４２３等で構成されている。
回収装置４０では、張力付与装置６０と折り誘発部材４１２との間に、連続用紙９に接触して案内する半円筒面状の摺動面を有する搬送案内部材４４を配置している。
【００２７】
この回収装置４０では、乾燥搬送部４２が記録装置３０から排出された連続用紙９を収容体４１に収容する前に比較的長い時間をかけて搬送する。これにより、記録装置３０で記録された画像を乾燥させて連続用紙９上に定着させている。
また、回収装置４０では、画像が記録された連続用紙９は、搬送案内部材４４を通過した後に折り誘発部材４１２で折り曲げが誘発されることにより、収容体４１内に交互に折り畳まれた状態で収容される。
【００２８】
次に、上記搬送装置５０は、連続用紙９の幅方向の両端部に分けて配置される一端の搬送装置５０Ａおよび他端の搬送装置５０Ｂを備えている。
【００２９】
一端の搬送装置５０Ａおよび他端の搬送装置５０Ｂはいずれも、図１から図４等に示されるように、支持部材５２２に対して、連続用紙９の送り孔９１に一時的に嵌め入れられる搬送ピン５２が所要の間隔をあけて一列に並んで突出する状態で設けられたピン付き搬送ベルト５１と、ピン付き搬送ベルト５１を逆三角形状の形態になって回転させるよう掛け回して支持する駆動ロール５３と２つの従動ロール５４，５５、連続用紙９の送り孔９１を含む端部領域をそれぞれ覆うように閉じられる開閉可能な覆い部材５６等を配置して構成されている。
【００３０】
また、一端の搬送装置５０Ａは、その配置位置が固定されている。一方、他端の搬送装置５０Ｂは、図３等に示されるように、その配置位置が連続用紙９の幅寸法Ｗの広狭に応じて連続用紙９の幅方向に沿う方向Ｃ１，Ｃ２に往復移動するように変位可能に設けられている。ちなみに、他端の搬送装置５０Ｂは、一端の搬送装置５０Ａの駆動ロール５３と共用される駆動ロール５３の駆動軸５３１や図示しない棒状の案内支持部材に支えられて移動するよう取り付けられている。また、駆動軸５３１の他端の搬送装置５０Ｂ側にある端部には、駆動ロール５３に回転動力を伝達する回転駆動装置５７が設けられている。
【００３１】
さらに、覆い部材５６は、例えば、図２、図４等に示されるように、ピン付き搬送ベルト５１のうち従動ロール５５から駆動ロール５３までの間に存在する部分を覆うように向き合う板状の本体部５６１と、本体部５６１の下面側に設けられ、ピン付き搬送ベルト５１により搬送されるときの連続用紙９における送り孔９１を含む端部領域に接近して向き合う覆い部５６５とを備えている。
【００３２】
本体部５６１は、図４等に示されるように、搬送装置５０Ａ，５０Ｂにおける支持部材５２２のうち連続用紙９の幅方向の両端よりも外側になる部位５２２ａにおいて、連続用紙９の搬送方向Ａに沿って延びる支点となる揺動軸５６３を中心に揺動して開閉されるようになっている。
覆い部５６５は、図２、図４等に示されるように、連続用紙９の送り孔９１に嵌め入れられるときの搬送ピン５２を挟んだ両側部分に接近するまで覆う空間を有し、連続用紙９の搬送方向Ａに沿って直線状に延びる溝５６６が設けられた部材で構成されている。また、覆い部５６５は、その溝５６６の両側に存在する下面部が、連続用紙９の送り孔９１を除く端部領域に接近して連続用紙９の浮き上がりを押さえる部位として構成されている。
【００３３】
この搬送装置５０（５０Ａ，５０Ｂ）は、連続用紙９を所要の速度で必要な量（長さ）だけ連続的に又は間欠的に搬送するようになっている。
また、搬送装置５０（５０Ａ，５０Ｂ）は、回転駆動装置５７から駆動ロール５３に伝達する回転動力の回転方向を搬送時とは逆の方向に切り替えることにより、連続用紙９を搬送方向Ａと逆の方向（逆送方向）Ｂに所要の速度で搬送（逆送）することもできるようになっている。連続用紙９を逆送させる場合とは、例えば、連続用紙９に画像を記録する動作が中断した後に再開させるときに、搬送装置５０（５０Ａ，５０Ｂ）による搬送速度Ｖ１の立ち上がりまでの所要時間を考慮して、その再開時に連続用紙９の画像を記録すべき部分を所要の搬送速度Ｖ１でもって正確に記録装置３０に供給して通過させるようにするため、搬送装置５０（５０Ａ，５０Ｂ）による連続用紙９の搬送速度の立ち上げ所要時間を余分に確保する助走区間を形成するように、連続用紙９を所要の長さだけ搬送方向Ｂとは逆の方向に戻すような場合などである。
さらに、搬送装置５０は、ピン付き搬送ベルト５１と給紙装置１０における繰出し装置１２（第２従動ロール１６）との間に、連続用紙９に接触して案内する半円筒面状の摺動面を有する搬送案内部材５９を配置している（図１）。
【００３４】
この搬送装置５０（５０Ａ，５０Ｂ）では、例えば画像を記録する時期等の動作時期が到来すると、ピン付き搬送ベルト５１が回転駆動装置５７から回転動力を受けて搬送時の回転方向に所要の速度で回転し始め、連続用紙９を正式な搬送方向Ａにむけて連続的に又は間欠的に所要の搬送速度Ｖ１で搬送する。
この際、連続用紙９は、その回転するピン付き搬送ベルト５１の複数の搬送ピン５２が従動ロール５５から駆動ロール５３に至るまでの間で対応する複数の送り孔９１に一時的にそれぞれ嵌め入れられた状態になり（図４）、ピン付き搬送ベルト５１の回転移動に伴って共に移動するようにして搬送され始める。連続用紙９の送り孔９１に嵌め入れられた搬送ピン５２は、ピン付き搬送ベルト５１が駆動ロール５３に掛け回され始めた地点から次第に送り孔９１から抜け出る（図４）。
【００３５】
またこの際、連続用紙９は、搬送装置５０（５０Ａ，５０Ｂ）にて搬送されることにより、給紙装置１０の収容体１１から繰出し装置１２を経由して繰り出されるとともに、記録装置３０に供給される（図１）。
さらに、この搬送装置５０（５０Ａ，５０Ｂ）では、覆い部５６５は、その溝５６６の両側にある下面部が連続用紙９の送り孔９１が形成された端部部分に接近して連続用紙９の浮き上がりを押さえる部位として機能する。これにより、連続用紙９は、その送り孔９１がピン付き搬送ベルト５１の搬送ピン５２から抜けた状態になって搬送できなくなるおそれがなくなり、安定して搬送される。
【００３６】
ちなみに、この画像記録装置１では、１つの連続用紙９に画像の記録を行うとき、その連続用紙９を最初に装着させる作業を行う必要がある。すなわち、給紙装置１０の収容体１１に初めて収容した連続用紙９（の先端）を、給紙装置１０の繰出し装置１２、搬送装置５０および記録装置３０を通過させた後、少なくとも張力付与装置６０に至る状態になるよう装着させる。
【００３７】
＜張力付与装置の構成＞
上記張力付与装置６０は、図１、図２、図５から図１０等に示されるように、送りロール６１、押付けロール６２、駆動装置６３、トルクリミッタ６４、変速機構６５、ワンウェイクラッチ６６等を少なくとも備えて構成されている。
実施の形態１では、図１に示されるように、この張力付与装置６０を、回収装置４０における乾燥搬送部４２（引き回し従動ロール４２３）から収容体４１の手前の位置（具体的には搬送案内部材４４に至る手前の位置）までの区間内に配置している。また、この張力付与装置６０を、その区間内で連続用紙９の搬送方向Ａに間隔をあけて２つ配置している。２つの張力付与装置６０とは、搬送方向Ａの上流側になる第１張力付与装置６０Ａとその下流側になる第２張力付与装置６０Ｂである。
【００３８】
図１０（図１２を含む）においては、乾燥搬送部４２の図示を省略して、記録装置３０と張力付与装置６０との間における記録用紙９の状態を簡略して示している。また、図１０（図１２を含む）においては、送りロール６１と押付けロール６２を、便宜上その上下反対の位置関係で図示している。図２、図１０等においては、２つの張力付与装置６０Ａ，６０Ｂを、便宜上１つの張力付与装置６０として図示している。
【００３９】
このうち送りロール６１は、連続用紙９を所要の方向に送るよう回転駆動するロールであり、図示しない支持部材に回転可能に支持されている。この送りロール６１は、金属等の材料からなる円柱状のロール本体と、そのロール本体の周面に所要の厚さで設けられる、ウレタン等の材料からなる表面層とで構成されている。表面層は、ウレタン等に代表されるような、連続用紙９に対する摩擦力を高く保たれる材料で構成することが望ましい。また、送りロール６１は、図２（ａ）に示されるように、画像記録装置１で適用可能な最大の幅寸法Ｗからなる連続用紙９の幅寸法よりも長い寸法からなるロールである。
【００４０】
そして、送りロール６１は、図２（ｂ）等に示されるように、連続用紙９の画像が記録する記録面（表面）９ａとは反対側の面（裏面）９ｂに接触するように配置されている。図２においては、便宜上、連続用紙９の張力付与装置６０を通過する前後の部分について、その表裏面が反転した状態（その裏面９ｂが送りロール６１と接するようになる状態）で図示している。
また、送りロール６１は、駆動装置６３で発生する駆動動力をトルクリミッタ６４、変速機構６５等を介して受けることにより、連続用紙９を所要の速度Ｖ２で送るよう回転駆動するようになっている。
この送りロール６１による連続用紙９を送る速度（送り速度）Ｖ２については、記録装置３０を通過した後の連続用紙９を引っ張るように搬送するため搬送装置５０において連続用紙９を搬送する速度（搬送速度）Ｖ１よりも少し速い速度に設定されている（Ｖ２＞Ｖ１）。
【００４１】
押付けロール６２は、送りロール６１に連続用紙９を押し付けて従動回転するロールであり、図示しない支持部材に回転可能に支持されているとともに、送りロール６１に対して接近および離間する方向に変位可能に支持されている。この押付けロール６２は、金属等の材料からなる円柱状のロール本体と、ポリアセタール樹脂等の材料からなる表面層とで構成されている。また、押付けロール６２についても、送りロール６１の場合と同様に、画像記録装置１で適用可能な最大の幅寸法Ｗからなる連続用紙９の幅寸法よりも長い寸法からなるロールである。
【００４２】
そして、押付けロール６２は、そのロール本体の両端部にある軸部６１５に対して図示しない加圧機構により所定の加圧力Ｆ１（図５）が送りロール６１に向けた状態で加えられている。加圧力Ｆ１は、一定の値に設定されている。
これにより、押付けロール６２は、送りロール６１に加圧力Ｆ１で圧接した状態に保たれている。また、連続用紙９は、この押付けロール６２により加圧力Ｆ１のもとで送りロール６１に押し付けられて挟まれた状態にされたうえで、送りロール６１が回転する方向にむけて送られるようになっている。
【００４３】
駆動装置６３は、送りロール６１に与える回転動力を発生する装置であり、図５等に示されるように、電動モータ等の駆動源６３１と、駆動源６３１の回転動力を伝達するベルト式等の動力伝達機構６３５とで構成されている。
【００４４】
この駆動装置６３は、駆動源６３１の回転動力が、駆動源６３１の出力軸６３２から出力された後、その出力軸６３２に取り付けられる動力伝達機構６３５の駆動プーリ６３６からタイミングベルト等の伝達ベルト６３７を介して伝達先の受動プーリ６３８に伝達される仕組みになっている。なお、駆動プーリ６３６は、後で詳述するようにワンウェイクラッチ６６を介して駆動源６３１の出力軸６３２に取り付けられている。一方、受動プーリ６３８は、後で詳述するトルクリミッタ６４に回転動力を入力する伝動軸６４３に固定されている。
【００４５】
トルクリミッタ６４は、駆動装置６３の回転動力を設定されたトルクの制限下で送りロール６１に伝えるものである。
このトルクリミッタ６４は、トルクリミッタ本体６４１と、トルクリミッタ本体６４１に回転動力を入力する伝動軸６４３と、伝動軸６４３から入力された回転動力がトルクリミッタ本体６４１を中継して出力されたときの回転動力を受けて次に伝達する伝達歯車６４５とで構成されている。
【００４６】
トルクリミッタ本体６４１としては、特に、マグネット方式等からなる非接触式のトルクリミッタ製品を用いている。トルクリミッタ本体６４１は、その動力入力部分が伝動軸６４３と接続されて固定されている。トルクリミッタ６４における限界トルク値については、送りロール６１と押付けロール６２の間に挟んで搬送する連続用紙９に付与すべき張力に基づいて設定される。その限界トルク値としては、例えば、２４０ｍＮ・ｍ程度の値に設定される。
伝動軸６４３としては、例えば、断面がＤ字形状の軸部材を適用している。伝動軸６４３は、例えば、その両端部が張力付与装置６０の図示しない支持部材に回転可能に支持されている。
【００４７】
伝達歯車６４５は、後述する変速機構６５の一部を構成する部品（伝達歯車６５１）でもある。この伝達歯車６４５は、伝動軸６４３に沿って矢印Ｄ１，Ｄ２に示す方向にスライドするように取り付けられた移動体６４８に対して回転可能に取り付けられている。また、この伝達歯車６４５は、トルクリミッタ本体６４１の動力出力部分と接続されており、その動力出力部分から出力される回転動力に同期して回転するようになっている。移動体６４８は、伝動軸６４３や伝達歯車６４５が回転しても、回転しない状態に保たれている。
【００４８】
変速機構６５は、トルクリミッタ６４と送りロール６１の間を接続するよう配置され、そのトルクリミッタ６４を介して伝えられる回転動力を選択される所要の変速比で変速させて送りロール６１に伝える機構である。
【００４９】
この変速機構６５は、トルクリミッタ６４から伝えられる回転動力を伝達する伝達歯車６５１と、伝達歯車６５１から伝えられる回転動力を歯数の異なる複数の歯車６５３ａ〜６５３ｄが多段状に配置された多段歯車６５３と、伝達歯車６５１と一体になって軸方向に移動して多段歯車６５３の各歯車６５３ａ〜６５３ｄとの噛み合いを切り替える遊動歯車６５５とで構成されている。
【００５０】
伝達歯車６５１は、上述したようにトルクリミッタ６４から出力されたときの回転動力を受けて次に伝達するための上記伝達歯車６４５としても機能する。この伝達歯車６５１は、上記移動体６４８に対して回転可能に取り付けられている。また、伝達歯車６５１は、移動体６４８と共に伝動軸６４３に沿って移動できるようにも取り付けられている。
【００５１】
多段歯車６５３は、歯数の異なる４つの歯車６５３ａ〜６５３ｄを用いて構成されており、送りロール６１の軸部６１５に固定されて取り付けられている。実施の形態１では、歯数が最も多い歯車６５３ｄを送りロール６１の一端と最も接近する位置に配置し、その歯車６５３ｄに比べて歯数が相対的に少ない歯車６５３ｃ、６５３ｂ、６５３ａをその小さくなる順に送りロール６１の一端から次第に遠ざかる位置に順次配置している。
４つの歯車６５３ａ〜６５３ｄにおける各歯数は、変速機構６５に要求される複数の変速比（主に減速比）に基づいて、伝達歯車６５１（又は遊動歯車６５５）の歯数との関係も考慮して選定されている。
【００５２】
遊動歯車６５５は、伝動軸６４３を中心にして揺動するよう支持されている可動軸６５６に対して回転可能かつ移動可能に取り付けられているとともに、図示しない連結部材を介して上記移動体６４８（伝達歯車６５１を含む）と一体的に移動するよう構成されている。可動軸６５６は、その両端部が図示しない支持部材（補助操作レバー７７の一部を含む）に揺動可能に支持されており、また、図示しない加圧手段により多段歯車６５３の側にむけて弾性的に押し付けられている。
これにより、遊動歯車６５５は、可動軸６５６の揺動により伝達歯車６４５と噛み合った状態のままで伝達歯車６４５の外周部に沿って円弧状に移動し、多段歯車６５３における各歯車６５３ａ〜６５３ｄとの噛み合いおよび離間ができるようになっている。また、遊動歯車６５５は、伝動軸６４３上を移動し得る移動体６４８および伝達歯車６４５と共に、可動軸６５６上を矢印Ｄ１，Ｄ２で示す方向に移動できるようにもなっている。
【００５３】
また、変速機構６５は、図５、図６等に示されるように、連続用紙９に付与する張力の大きさを選択して設定する操作を行う操作部７０と、操作部７０の操作に連動して変速比が変更される変更部７５とを有する。
【００５４】
操作部７０は、操作作業を行う操作面材７１と、その操作面材７１に配置される変更操作レバー７２とで構成されている。
【００５５】
操作面材７１は、変速機構６５の近傍の位置に配置される板状の部材からなるものである。この操作面材７１には、変更操作レバー７２が操作されて移動するときに上下方向にほぼ相当する操作方向Ｅ１，Ｅ２に直線的に案内する案内溝（孔）７１２や、変更操作レバー７２の操作で設定変更できる張力のレベルを示す目盛り７１３（本例では１〜４の数字の目盛）が設けられている。実施の形成１における目盛り７１３としては、４つのレベルを示す目盛り表示（線）と数値表示（１〜４）が採用されている。
変更操作レバー７２は、連続用紙９に付与する張力の大きさを選択して設定変更するための操作レバーである。この変更操作レバー７２は、操作面材７１における案内溝７１２に沿って上下方向に移動させて操作させるようになっている。
【００５６】
変更部７５は、操作部７０における変更操作レバー７２と変速機構６５における移動体６４８とを連結して変更操作レバー７２の操作に連動させて移動体６４８を移動させる連結部材７６と、変更操作レバー７２の操作時に補助的な操作を行う補助操作レバー７７とで構成されている。
【００５７】
連結部材７６は、例えば斜め下方に延びる傾斜部とその傾斜部の下端から垂下するように延びる垂下部とを有する部材である。また、連結部材７６は、その一端部（傾斜部の上端部）が操作面材７１の案内溝７１２の裏面において変更操作レバー７２と図示しない回動軸を介して連結されており、その他端部（垂下部の下端部）が移動体６４８の連結部６４８ａに図示しない回動軸を介して連結されている。
この連結部材７６は、変更操作レバー７２を案内溝７１２の下方向Ｅ１に移動させたときには、移動体６４８（実際には伝達歯車６５１および遊動歯車６５５）を伝動軸６４３上において矢印Ｄ１で示す方向に移動させるように作動する。また、連結部材７６は、変更操作レバー７２を案内溝７１２の上方向Ｅ２に移動させたときには、移動体６４８（実際には伝達歯車６５１および遊動歯車６５５）を伝動軸６４３上において矢印Ｄ２で示す方向に移動させるように作動する。
【００５８】
補助操作レバー７７は、変更操作レバー７２の操作時に遊動歯車６５５の多段歯車６５３との噛み合いおよび離間を行うための操作レバーである。この補助操作レバー７７は、例えば角柱状のレバー部材の一端部が操作部７０における操作面材７１に設けられる支持軸７７２を中心にして矢印Ｈ１，Ｈ２で示す方向に回動可能に取り付けられており、またレバー部材の他端部が変速機構６５における可動軸６５６の一端部に連結されている。補助操作レバー７７は、可動軸６５６と共に、操作面材７１に形成された円弧状の案内溝（孔）支持軸７７２は、伝動軸６４３と同心状の軸である。なお、支持軸７７２は、伝動軸６４３の一端部を延長して構成してもよい。
この補助操作レバー７７は、可動軸６５６の加圧機構の押圧力（付勢力）に抗して矢印Ｈ１で示す方向に移動させたときには、遊動歯車６５５を多段歯車６５３から離間させて噛み合いを解除させるように作動する。また、補助操作レバー７７は、矢印Ｈ２で示す方向に移動させたときには（実際には可動軸６５６の加圧機構の押圧力により手を離せば自動で移動する）、遊動歯車６５５を多段歯車６５３に接近させて噛み合わせるように作動する。
【００５９】
このような変速機構６５は、伝達歯車６５１が遊動歯車６５５を介して多段歯車６５３の４つの歯車６５３ａ〜６５３ｄのいずれかと噛み合うときの組み合わせにより、４種類の変速比が得られる。実施の形態１における変速機構６５は、多段歯車６５３のうち３つの歯車６５３ｂ〜６５３ｄがいずれも遊動歯車６５５よりも歯数が多い関係にある歯車であるため、減速させる変速機構になっており、また上記した歯車どうしの組み合わせにより４種類の減速比が得られるようになっている。このときの減速比（多段歯車６５３の各歯車の歯数／伝達歯車６４５又は遊動歯車６５５の歯数）としては、例えば、１．０、１．２５、１．５、１．７５という値が採用される。
【００６０】
また、この変速機構６５を備える画像記録装置１では、連続用紙９に付与する張力の大きさを設定変更する場合、例えば、以下のように操作する。
ここでは、画像を記録する動作等が停止している状態の画像記録装置１において張力設定をレベル１（最小レベル）からレベル４（最大レベル）に変更する場合を例にして説明する。
【００６１】
はじめに、張力設定がレベル１（最小レベル）に設定されている場合（図５〜７）における変速機構６５において、図８（ａ）に示されるように、変更部７５にある補助操作レバー７７を矢印Ｈ１で示す方向（離間させる方向）に揺動させるように操作する。これにより、遊動歯車６５５は、可動軸６５６を介して矢印Ｈ１で示す方向に移動するので、多段歯車６５３における最少歯数の歯車６５３ａから離間してその歯車６５３ａとの噛み合いが解除される。
【００６２】
次に、図８（ｂ）に示されるように、補助操作レバー７７を矢印Ｈ１で示す方向に揺動させた状態のままで、操作部７０における変更操作レバー７２を張力設定がレベル１の位置からレベル４の位置になるまで矢印Ｅ１で示す方向（下げる方向）に移動させるように操作する。これにより、変更部７５の連結部材７６が変更操作レバー７２の矢印Ｅ１で示す方向への移動動作に連動して変速機構６５における移動体６４８を伝動軸６４３上において矢印Ｄ１で示す方向に移動させる。この際、変速機構６５における伝達歯車６５１および遊動歯車６５５は、移動体６４８と共に矢印Ｄ１で示す方向に移動し、多段歯車６５３における最少歯数の歯車６５３ａと向き合い位置から多段歯車６５３における最多歯車の歯車６５３ｄと向き合う位置まで移動させられる。
【００６３】
最後に、補助操作レバー７７を矢印Ｈ２で示す方向に揺動させる操作をする（実際には補助操作レバー７７から操作する手を離して開放する）。これにより、遊動歯車６５５は、図９に示されるように、可動軸６５６を介して矢印Ｈ２で示す方向に移動するので、多段歯車６５３における最多歯車の歯車６５３ｄに接近してその歯車６５３ｄと噛み合う状態になる。
【００６４】
この結果、張力の設定は、レベル１（最小レベル）からレベル４（最大レベル）に変更される。
なお、この張力設定がレベル２（最小レベルの次に大きいレベル）の場合には、遊動歯車６５５は多段歯車６５３における歯数が一段目の歯車６５３ａよりも多く且つ三段目の歯車６５３ｃよりも少ない２段目の歯車６５３ｂと噛み合うようになっている。また、この張力設定がレベル３（最小レベルの次の次に大きいレベル、最大レベルより１つ小さいレベル）の場合には、遊動歯車６５５は多段歯車６５３における歯数が二段目の歯車６５３ｂよりも多く且つ四段目の歯車６５３ｄよりも少ない三段目の歯車６５３ｃと噛み合うようになっている。
【００６５】
上記ワンウェイクラッチ６６は、駆動装置６３の回転動力が連続用紙９を搬送するときの方向（搬送方向Ａ）と同じ方向に回転する回転動力であるときはその回転動力を伝達し、駆動装置６３の回転動力が搬送方向Ａと反対の方向（逆送方向Ｂ）に回転する回転動力であるときはその回転動力を伝達させないように作動するクラッチ機構である。
このワンウェイクラッチ６６は、図５、図６等に示されるように、少なくとも駆動装置６３とトルクリミッタ６４との間に配置すればよい。実施の形態１におけるワンウェイクラッチ６６は、駆動装置６３の駆動源６３１における出力軸６３２と動力伝達機構６３５における駆動プーリ６３６との間に介在するように配置されている。
【００６６】
＜張力付与装置の基本動作と張力付与動作＞
この張力付与装置６０は、画像を記録する時期等の動作時期になると、図１０等に示されるように、駆動装置６３が連続用紙９の搬送方向Ａに対応する方向Ｍ１に所要の速度Ｖｍで回転始動する。
これにより、そのときの駆動装置６３で発生する回転動力がワンウェイクラッチ６６、トルクリミッタ６４および変速機構６５を介して送りロール６１まで伝達され、その回転動力を受けた送りロール６１が搬送時の回転方向に所要の速度Ｖｄで回転し始める。このときの送りロール６１の回転速度Ｖｄは、駆動装置６３の回転速度Ｖｍから最終的に変速機構６５で変速（減速）された後に得られる速度になる。
【００６７】
この結果、張力付与装置６０は、速度Ｖｄで回転駆動する送りロール６１と従動回転する押付けロール６２との間に挟まれている連続用紙９を、連続的に又は間欠的に所要の送り速度Ｖ２で搬送方向Ａに送る。
また、張力付与装置６０は、送りロール６１と押付けロール６２との間に挟んだ連続用紙９を送る送り速度Ｖ２が、前述したように搬送装置５０（５０Ａ，５０Ｂ）による連続用紙９の搬送速度Ｖ１よりも少し速い速度（Ｖ２＞Ｖ１）に設定されているので、連続用紙９を引っ張るように搬送することになる。この送り速度Ｖ２については、例えば、搬送速度Ｖ１の１．１４倍〜２倍の速度に設定される。
したがって、張力付与装置６０は、連続用紙９を引っ張るように搬送することにより連続用紙９に所要の張力を付与している。
【００６８】
また、この張力付与装置６０では、連続用紙９が押付けロール６２により所定の加圧力Ｆ１でもって送りロール６１に押し付けられた状態で通過することになるため、送りロール６１の送る力が比較的安定して連続用紙９に伝わり、この結果、連続用紙９に張力を安定して付与するようになる。この際、送りロール６１は、連続用紙９の裏面に対して滑らせた状態で回転することがなく、連続用紙９を送りロール６１の回転速度にほぼ一致させた速度で送るように作用する。
【００６９】
しかも、この張力付与装置６０では、送りロール６１が押付けロール６２により押し付けられる連続用紙９と高い静摩擦力で強力にグリップ（圧着）した状態に保たれている。このため、この張力付与装置６０では、送りロール６１や連続用紙９への外的要因が変動することがあった場合でも、送りロール６１が連続用紙９とグリップしている状態には影響がなく、その送りロール６１に伝達される回転動力がトルクリミッタ６４に設定された限界トルク値で管理（調整）されていることから（図５、図１０等）、連続用紙９に所要の張力（ＴＦ）を安定して付与するようにもなる。
【００７０】
ここで、送りロール６１や連続用紙９への外的要因が変動する場合とは、例えば、画像記録装置１の内部における温度や湿度の変動に伴い送りロール６１の表面状態が変化する場合、連続用紙９として画像を記録する面に樹脂等の塗布材料が塗布された塗工紙等の連続用紙を使用した際にその塗布材料の成分が送りロール６１の表面に付着してその表面状態が変化する場合、送りロール６１の表面に紙粉、記録した画像の材料（インクなど）が付着してその表面状態が変化する場合等である。そして、このような外的要因が変動する場合には、特に送りロール６１の摩擦係数が変動するようになる。
【００７１】
また仮に、送りロール６１を連続用紙９との間ですべり摩擦（動摩擦）によって連続用紙９に張力を付与する張力付与装置を用いた場合には、次のような不具合がある。
【００７２】
すなわち、このような張力付与装置では、送りロール６１と連続用紙９との動摩擦係数が外的要因により変動してしまうことがあり、この場合には、連続用紙９に付与する張力が変動することになり、その結果として連続用紙９に所要の張力を安定して付与することができなくなる。
つまり、このような張力付与装置により連続用紙９に付与する張力（ＴＦ）については、送りロール６１と連続用紙９との間における動摩擦係数をμ２、送りロール６１への連続用紙９の押付け力をＮとした場合、「ＴＦ＝μ２・Ｎ」という式で表わすことができる。また、このとき上記動摩擦係数が変動した場合は、上記式中のμ２の値が変動することになるので、張力であるＴＦの値も変動することになる。このようなことから、この張力付与装置では、連続用紙９に対して所要の張力（ＴＦ）を安定して付与することができないことがある。
【００７３】
これに対して、実施の形態１における張力付与装置６０では、このような摩擦係数の変動が影響しない程度に送りロール６１が連続用紙９と強力にグリップしているため、送りロール６１や連続用紙９への外的要因の変動による影響を受けることがない。
【００７４】
以上説明したように、この張力付与装置６０を備えた画像記録装置１では、例え張力付与装置６０における送りロール６１や連続用紙９への外的要因が変動することがあっても、その張力付与装置６０の機能により連続用紙９に所要の張力（ＴＦ）を安定して付与する。また、この画像記録装置１では、張力付与装置６０におけるトルクリミッタ６４として非接触式のものを適用しているので、接触式のトルクリミッタを適用した場合に比べて、経時変化（劣化）による張力（ＴＦ）の変動が発生することが抑制される。
したがって、この画像記録装置１においては、張力付与装置６０により連続用紙９に対して所要の張力（ＴＦ）が安定して付与されるので、その張力（ＴＦ）が不安定になることに起因して連続用紙９の搬送が不安定になり、ひいては記録装置３０における記録精度や画質が不安定になることが抑制される。
【００７５】
＜張力付与装置の張力設定の変更動作＞
また、実施の形態１に係る画像記録装置１においては、張力付与装置６０により付与する張力の大きさを変更する場合は、変速機構６５における操作部７０と変更部７５で必要な操作を行うことで実現される。
【００７６】
例えば、その張力の各大きさを示す張力設定について、図７で示すレベル１（最小レベル）から図９に示すレベル４（最大レベル）に変更する場合には、前述したように（図８も参照）変更部７５における補助操作レバー７７の操作と操作部７０における変更操作レバー７２の操作とを行うことで変更できる。
【００７７】
この張力設定をレベル１からレベル４に変更した場合（図９）は、変速機構６５における遊動歯車６５５が多段歯車６５３の歯数の相対的に多い歯車６５３ｄと噛み合って変速比（減速比）が相対的に大きくなる。このため、駆動装置６３からの回転動力は、その減速比が大きくなることに対応して回転力の大きい動力として送りロール６１に伝わるようになる。この結果、送りロール６１の連続用紙９を送る力が力強いものになるので、レベル４のときの連続用紙９に付与される張力（ＴＦ）はレベル１のときの張力に比べて力強いものに変更される。
【００７８】
ちなみに、このレベル４への変更を行った場合、上記したように変速機構６５における変速比（減速比）が大きくなるため、その減速比が大きくなる分に対応して送りロール６１に伝達される回転動力の速度Ｖｄ（図１０）がレベル１のときの速度Ｖｄよりも相対的に少し（例えば−αだけ）遅くなる（Ｖｄ−α）。このため、レベル４のときの送りロール６１の回転速度は、レベル１のときの送りロール６１の回転速度よりも遅くなる。
しかし、このレベル４のときの送りロール６１の回転速度についても、他のレベル１〜３の場合と同様に、連続用紙９を引っ張るように搬送して張力を付与する必要があることから、少なくとも搬送装置５０による連続用紙９の搬送速度Ｖ１よりは速い速度になるよう設定されている。また、張力付与装置６０では、送りロール６１に伝達される回転動力のトルクリミッタ６４における限界トルク値を超えるときは、送りロール６１への回転動力の伝達がトルクリミッタ６４で遮断されるようになっている。
したがって、レベル４に設定変更したときの送りロール６１による連続用紙９の送り速度は、上記した所望の送り速度Ｖ２と同じ状態に保たれる。なお、レベル４に設定したときに連続用紙９に付与する張力は、送りロール６１の上記減速が生じることに反し、上記したとおり力強いものになる。
【００７９】
また反対に、張力設定について図９に示すレベル４（最大レベル）から図７で示すレベル１（最小レベル）に変更する場合には、以下の異なる点を除いて、上記したレベル１からレベル４に変更するとき（図８）のように、変更部７５における補助操作レバー７７の操作と操作部７０における変更操作レバー７２の操作とをほぼ同様に行うことで実現できる。
異なる点は、補助操作レバー７７を矢印Ｈ１で示す方向に揺動させる操作を行った後に変更操作レバー７２を下方向Ｅ１でなく上方向Ｅ２に移動させる操作を行うことになる部分である。この変更操作レバー７２の操作により、遊動歯車６５５が伝達歯車６５１と共に矢印Ｄ２で示す方向に移動して、最多の歯数の歯車６５３ｄと向き合う位置から最少の歯数の歯車６５３ａと向き合う位置に移動することなる。
【００８０】
このように張力設定についてレベル４からレベル１に変更した場合は、図７に示されるように、変速機構６５における遊動歯車６５５が多段歯車６５３の歯数の最も少ない歯車６５３ａと噛み合って変速比（減速比）がレベル４のときよりも相対的に小さくなる。このため、駆動装置６３からの回転動力は、その減速比が小さくなることに対応して回転力の少し弱くなった動力として送りロール６１に伝わるようになる。この結果、レベル１のときの送りロール６１の連続用紙９を送る力が少し弱いものになるので、レベル１のときの連続用紙９に付与される張力（ＴＦ）はレベル４のときの張力に比べて少し力の弱いものに変更される。
【００８１】
ちなみに、このレベル１への変更を行った場合、上記したように変速機構６５における変速比（減速比）が相対的に小さくなるため、レベル１のときの送りロール６１に伝達される回転動力の速度Ｖｄ（図１０）がレベル４のときの速度Ｖｄよりも少し（例えば＋β分）相対的に速くなる（Ｖｄ＋β）。このため、レベル１のときの送りロール６１の回転速度がレベル４のときの送りロール６１の回転速度よりも相対的に速くなる。
しかし、このレベル１のときの送りロール６１の回転速度により送られる連続用紙９の送り速度Ｖ２は、搬送装置５０による搬送速度Ｖ１に支配されている関係にあって搬送速度Ｖ１より大幅に増加することがない。また、レベル１のときの送りロール６１の回転速度が速くなった場合でも、上記したように送りロール６１が押付けロール６２の押付け力Ｆ１により連続用紙９と強力にグリップされており、しかも送りロール６１への回転動力の伝達がトルクリミッタ６４で遮断されるようになっている。
したがって、レベル１に設定変更したときの送りロール６１による連続用紙９の送り速度Ｖ２についても、所望の送り速度Ｖ２と同じ状態に保たれる。
【００８２】
＜逆送時における張力付与装置の動作＞
さらに、画像記録装置１においては、上記したように連続用紙９を搬送装置５０Ａ，５０Ｂの作動により搬送方向Ａとは反対の逆送方向Ｂに逆送することがある。
【００８３】
この逆送をする場合、搬送装置５０Ａ，５０Ｂでは、回転駆動装置５７において駆動ロール５３に伝達する回転動力の回転方向を搬送時とは逆の方向に切り替えられる。また、張力付与装置６０では、図１１に示されるように、駆動装置６３において連続用紙９に伝達する回転動力（逆回転動力）の回転方向を搬送時の回転方向Ｍ１とは逆の方向Ｍ２に切り替えられる。
【００８４】
これにより、画像記録装置１では、図１１や図１２に示されるように、搬送装置５０Ａ，５０Ｂにおけるピン付き搬送ベルト５１が搬送時とは反対の方向に所要の時間だけ回転して、連続用紙９を逆送方向Ｂに所定の逆送速度Ｖ５で所要の長さだけ搬送することになる。
またこの際、張力付与装置６０では、駆動装置６３が矢印Ｍ２で示す方向の回転動力を発生するので、その回転方向Ｍ２の回転動力はワンウェイクラッチ６６の作動により遮断され、送りロール６１に伝達されることがない（Ｖｄ＝０）。このため、このときの張力付与装置６０における送りロール６１および押付けロール６２は、図１１に示されるように逆送方向Ｂに逆送される連続用紙９の移動に追従するように回転（空転）する。
【００８５】
この結果、画像記録装置１では、図１２に示されるように、連続用紙９を逆送するときには、その連続用紙９に対して張力付与装置６０から微小な張力（ＴＦｂ）を付与するのみである。このときの微小な張力（ＴＦｂ）とは、例えば、逆送される連続用紙９からの搬送力を受けて張力付与装置６０における送りロール６１等が従動回転するときに発生する制動力程度の力である。このため、この逆送されるときの連続用紙９は、過大な張力が付与されることなく、逆送方向Ｂに容易に安定して送られる。
【００８６】
また、この画像記録装置１においては、特に連続用紙９を逆送させるとき、張力付与装置６０における駆動装置６３は、連続用紙９を逆送させるよう送りロール６１を回転させるための逆回転動力として搬送装置５０Ａ，５０Ｂの逆送速度Ｖ５よりも速い速度Ｖｄ（＞Ｖ５）で送りロール６１を逆回転させる回転動力を発生するように構成している。
【００８７】
この構成により、張力付与装置６０では、連続用紙９の逆送時になると、駆動装置６３で発生させる速度Ｖｂの逆回転動力が比較的速い回転速度の動力としてワンウェイクラッチ６６に入力されることで、ワンウェイクラッチ６６を瞬時かつ確実に作動させて駆動装置６３の逆送時の回転動力（回転力：トルク）が送りロール６１に伝達されることを確実に遮断することができる。このことは換言すれば、この張力付与装置６０では、連続用紙９を正式な搬送方向Ａに搬送するときに限り所要の張力（ＴＦ）を付与することが可能になっている。
この結果、画像記録装置１においては、連続用紙９を逆送するときに、その連続用紙９に過大な張力を付与することを確実に回避することができる。
【００８８】
［他の実施の形態］
実施の形態１では、張力付与装置６０として２つの張力付与装置６０Ａ，６０Ｂを配置する画像記録装置１の構成例を示したが、張力付与装置６０については１つのものだけ配置する場合であっても、又は３つ以上のものを配置する場合であってもよい。
【００８９】
実施の形態１では、張力付与装置６０におけるトルクリミッタ６４として非接触式のものを適用した場合を例示したが、必要であればトルクリミッタ６４として接触式のトルクリミッタを適用しても構わない。
【００９０】
実施の形態１では、張力付与装置６０における変速機構６５として減速させるタイプのものを例示したが、最終的に所望の張力の付与が実現可能であれば、変速機構６５として増速させる変速（増速）機構や、減速および増速の双方を実現するタイプの変速機構を適用しても構わない。
【００９１】
実施の形態１では、画像記録装置１として、搬送装置５０が記録装置３０よりも連続用紙９の搬送方向Ａの上流側に１つ配置されている構成例を示したが、画像記録装置１としては、その搬送方向Ａの上流側に複数の搬送装置５０が配置するように構成してもよい。
なお、画像記録装置１としては、搬送装置５０を記録装置３０から搬送方向Ａの上流側に設けることに加えてその下流側にも設けるように構成してもよい。
【００９２】
画像記録装置の全体の配置構成については、実施の形態１に係る画像記録装置１の配置構成に限定されず、他の配置構成を採用することも可能である。
また、記録装置３０については、インクの液滴を噴射させて画像を記録する方式以外の記録方式（例えば電子写真方式）からなる記録装置を適用することも可能である。例えば電子写真方式からなる記録装置を適用する場合には、連続用紙９として送り孔９１がない連続用紙を使用し、搬送装置５０として、その送り孔９１がない連続用紙をロール等の搬送部材の間に挟んだ状態で搬送する形式の搬送装置を代わりに適用すればよい。
【符号の説明】
【００９３】
１  …画像記録装置
９，９Ｂ…連続用紙（連続する媒体の一例）
６０…張力付与装置
６１…送りロール
６２…押付けロール
６３…駆動装置
６４…トルクリミッタ
６５…変速機構
６６…ワンウェイクラッチ
７０…操作部
７５…変更部
６５１…伝達歯車
６５３…多段歯車
６５３ａ〜６５３ｄ…歯数の異なる歯車
６５５…遊動歯車
Ａ  …搬送方向
Ｂ  …逆送方向（搬送する方向と逆の方向）
Ｖ５…逆送速度
【図１】
2019051661.tif 000003
【図２】
2019051661.tif 000004
【図３】
2019051661.tif 000005
【図４】
2019051661.tif 000006
【図５】
2019051661.tif 000007
【図６】
2019051661.tif 000008
【図７】
2019051661.tif 000009
【図８】
2019051661.tif 000010
【図９】
2019051661.tif 000011
【図１０】
2019051661.tif 000012
【図１１】
2019051661.tif 000013
【図１２】
2019051661.tif 000014